(57)【要約】【課題】モーターでレンズを直接に駆動するレンズ鏡筒において、レンズを駆動するモーター以外のモーターを設けることなく、焦点距離等の情報表示をすることが可能となるレンズ鏡筒及び光学機器を提供する。【解決手段】モーター２０４でレンズを直接に駆動するようにしたレンズ鏡筒において、焦点距離等の情報表示を施した情報表示リング２１３と、前記情報表示リングを前記モーターの駆動力によって、該モーターによるレンズの駆動量と連動させて回転させる情報表示リング駆動手段２０３、２２０と、を有し、前記情報表示リング駆動手段による前記情報表示リングの回転によって、焦点距離等の情報表示を可能に構成する。【選択図】            図１
2007025592.tif 000002
【特許請求の範囲】
【請求項１】
モーターでレンズを直接に駆動するようにしたレンズ鏡筒において、
焦点距離等の情報表示を施した情報表示リングと、
前記情報表示リングを前記モーターの駆動力によって、該モーターによるレンズの駆動量と連動させて回転させる情報表示リング駆動手段と、
を有し、前記情報表示リング駆動手段による前記情報表示リングの回転によって、焦点距離等の情報表示を可能に構成したことを特徴とするレンズ鏡筒。
【請求項２】
前記情報表示リング駆動手段は、モーターの送りねじの回転をギヤ連結によって取り出し、前記情報表示リングを回転させるように構成されていることを特徴とする請求項１に記載のレンズ鏡筒。
【請求項３】
前記情報表示リングは、駆動リングを介して前記情報表示リング駆動手段によって回転され、所定回転範囲を超えると該駆動リングとの間でスリップし、該駆動リングのみが回転可能に構成されていることを特徴とする請求項１または請求項２に記載のレンズ鏡筒。
【請求項４】
請求項１〜３のいずれか１項に記載のレンズ鏡筒を有することを特徴とする光学機器。
【発明の詳細な説明】
【技術分野】
【０００１】
本発明は、レンズ鏡筒、レンズ鏡筒を有する光学機器に関し、特に焦点距離あるいは焦点位置等の情報表示機能を備えたレンズ鏡筒に関する。
【背景技術】
【０００２】
従来のズームレンズ鏡筒には、固定部材に対し光軸を中心として回転自在に、ズーム操作環とフォーカス環とを設け、これらを回動させて焦点距離、あるいはピント調整を行うようにしたものが知られている。
このようなズームレンズ鏡筒においては、焦点距離及び焦点位置を表示するに際し、例えば、特許文献１に開示されているように、つぎのような方式のものが良く知られている。これは、ズーム操作環にその回転方向に沿って焦点距離の目盛を刻印すると共に、フォーカス環に至近距離から無限遠までの距離を刻印する。そして、これらに隣接する各固定部材に上記各目盛の一点を示す指標を刻印することにより、焦点距離及び焦点位置を表示するようにした方式によるものである。
【特許文献１】特開平８−３０４６８１号公報
【発明の開示】
【発明が解決しようとする課題】
【０００３】
しかしながら、モーターによってレンズを直接に駆動するタイプのレンズ鏡筒においては、上記した特許文献１のズームレンズ鏡筒のように、操作環によるレンズ駆動機構を備えていない。したがって、焦点距離及び焦点位置を表示するためには、情報表示リング部材及びこれを駆動するモーター等を、別途に設けることが必要となり、部品点数が増え、構造が複雑となる。
また、このようなレンズを直接に駆動するタイプのレンズ鏡筒においては、レンズ駆動用のラックのラック飛びが生じた場合等において、情報表示リングが示すレンズ位置と実際のレンズ位置との間にずれが生じる。
【０００４】
本発明は、上記課題に鑑み、モーターでレンズを直接に駆動するレンズ鏡筒において、レンズを駆動するモーター以外のモーターを設けることなく、焦点距離等の情報表示をすることが可能となるレンズ鏡筒及び光学機器を提供することを目的とするものである。
また、本発明は、レンズ駆動用ラックのラック飛びによって、情報表示リングが示すレンズ位置と実際のレンズ位置との間にずれが生じた際に、正規のレンズ位置に復元することができるレンズ鏡筒及び光学機器を提供することを目的とするものである。
【課題を解決するための手段】
【０００５】
本発明は上記課題を解決するため、つぎのように構成したレンズ鏡筒及び該レンズ鏡筒を有する光学機器を提供するものである。
すなわち、本発明のレンズ鏡筒は、モーターでレンズを直接に駆動するようにしたレンズ鏡筒において、焦点距離等の情報表示を施した情報表示リングと、前記情報表示リングを前記モーターの駆動力によって、該モーターによるレンズの駆動量と連動させて回転させる情報表示リング駆動手段と、を有し、前記情報表示リング駆動手段による前記情報表示リングの回転によって、焦点距離等の情報表示を可能に構成したことを特徴としている。
その際、前記情報表示リング駆動手段は、モーターの送りねじの回転をギヤ連結によって取り出し、前記情報表示リングを回転させるように構成することができる。
また、本発明の光学機器は、上記したレンズ鏡筒を有することを特徴としている。
【発明の効果】
【０００６】
本発明によれば、モーターでレンズを直接に駆動するようにしたレンズ鏡筒において、レンズ駆動用モーターとは別のモーターを設けることなく、焦点距離及び焦点位置を表示することが可能となる。
また、レンズ駆動用ラックのラック飛びによって、情報表示リングが示すレンズ位置と実際のレンズ位置との間にずれが生じた際に、正規のレンズ位置に復元することができるレンズ鏡筒及び光学機器を実現することができる。
【発明を実施するための最良の形態】
【０００７】
本発明を実施するための最良の形態を、以下の実施例により説明する。
【実施例】
【０００８】
実施例１においては、本発明を適用して、レンズ駆動用モーターとは別のモーターを設けることなく、焦点距離及び焦点位置を表示することができるレンズ鏡筒を構成した。
図１に、本実施例におけるレンズ鏡筒の一部の構成の斜視図を示す。
図２に、図１に示したレンズ鏡筒の断面図を示す。
図３に、図１に示したレンズ鏡筒の表示リングのスリップ機能に係る部分の斜視図を示す。
これらの図において、１００は光軸、２０１は固定鏡筒、２０２はＶ移動環である。  
また、２０３はラック、２０４はステッピングモーター、２０５、２０６はガイドバーである。
また、２１１は固定リング、２１２は摺動リング、２１３は表示リング、２１４は駆動リング、２１５は固定リングである。また、２２０はギヤボックスである。
また、２５１、２５２はストッパー、２６１は突起である。
【０００９】
本実施例のレンズ鏡筒において、前玉レンズは固定鏡筒２０１に固定されている。また、光軸１００に沿って移動することで変倍動作を行うバリエータレンズは、Ｖ移動環２０２に保持されている。
本実施例のレンズ鏡筒は、これらのレンズと、不図示のアフォーカルレンズ、不図示の光軸に沿って移動することで変倍時の焦点面維持と焦点合わせを行うフォーカシングレンズ、等を備えている。
【００１０】
ガイドバー２０５、２０６は光軸１００と平行に配置され、移動するレンズ群の案内および回り止めを行う。
ステッピングモーター２０４は、その出力軸に一体形成されたリードスクリューを回転駆動する。
リードスクリューにはＶ移動環２０２に組み付けられたラック２０３が係合しており、リードスクリューが回転することによって、Ｖ移動環２０２がガイドバー２０５、２０６によりガイドされながら光軸方向に移動する。
【００１１】
ここで、ステッピングモーター２０４のリードスクリューはその先端部にギヤが勘合してあり、さらに、ギヤボックス２２０を介して、駆動リング２１４と連結されている。
駆動リング２１４の外側には、例えば表示目盛り等により焦点距離表示を施した表示リング２１３が篏合している。
駆動リング２１４及び表示リング２１３は、固定鏡筒２０１に固定された固定リング２１１、２１５及び摺動リング２１２により、回転自在に保持されている。これにより、焦点距離表示を施した表示リング２１３は、Ｖ移動環２０２を駆動するステッピングモーター２０４により、ギヤボックス２２０及び駆動リング２１４を介して回転される。
【００１２】
つぎに、表示リングが示すレンズ位置と実際のレンズ位置との間にずれが生じた場合でも、レンズのイニシャライズ動作を行うことにより、表示されたレンズ位置を正規のレンズ位置に復元可能としたスリップ機構について説明する。
表示リング２１３には突起２６１が設けてある。また、固定リング２１５には切欠が設けてあり、この切欠に沿って表示リング２１３に設けられた突起２６１を摺動させるように構成されている。したがって、表示リング２１３は切欠の終端であるストッパー２５１と２５２の間でのみ回転自在となる。
表示リング２１３は、ストッパー２５１と２５２の間では駆動リング２１４と一体となって回転する。しかし、ストッパー２５１、２５２の位置を超えると駆動リング２１４との間でスリップし、駆動リング２１４のみが回転を続ける。
また、ストッパー２５１、２５２は、Ｖ移動環２０２の通常移動領域の範囲外に設けてある。
レンズのイニシャライズ動作を行う際、Ｖ移動環２０２を、表示リング２１３がストッパー２５１及び２５２に、ちょうど接する位置まで移動させる。このようなイニシャライズ動作を行うことにより、ラック２０３のラック飛びが生じ、表示リング２１３が示すレンズ位置と実際のレンズ位置との間にずれが生じた場合でも、表示されたレンズ位置を正規のレンズ位置に復元させることができる。
【００１３】
以上、本発明の好ましい実施例について説明したが、本発明はこれらの実施例に限定されないことはいうまでもない。その要旨の範囲内で種々の変形及び変更が可能であり、また、このようなレンズ鏡筒を適用して、好適な光学機器を構成することができる。
【図面の簡単な説明】
【００１４】
【図１】本発明の実施例におけるレンズ鏡筒の斜視図。
【図２】本発明の実施例におけるレンズ鏡筒の断面図。
【図３】本発明の実施例におけるレンズ鏡筒の表示リングのスリップ機能に係る部分の斜視図。
【符号の説明】
【００１５】
１００：光軸
２０１：固定鏡筒
２０２：Ｖ移動環
２０３：ラック
２０４：ステッピングモーター
２０５：ガイドバー
２０６：ガイドバー
２１１：固定リング
２１２：摺動リング
２１３：表示リング
２１４：駆動リング
２１５：固定リング
２２０：ギヤボックス
２５１：ストッパー
２５２：ストッパー
２６１：突起
【図１】
2007025592.tif 000003
【図２】
2007025592.tif 000004
【図３】
2007025592.tif 000005